(57)【要約】      （修正有）【課題】ボルトの接続作業が容易で、短時間に行なうことができるとともに、接続するボルトの寸法を伸縮調整したり、径寸法が異なっても接続することができるようにすることができるボルト接続具を得るにある。【解決手段】両端部より接続するボルトをそれぞれ挿入することができるボルト挿入孔が形成されるとともに、両端部寄りの部位にボルト挿入孔に挿入されたボルトと螺合する簡易締付ナット８を回転不能に収納することができる簡易締付ナット収納部９が形成された簡易締付ナット収納ケース１０と、この簡易締付ナット収納ケース１０の簡易締付ナット収納部９にそれぞれ収納されたボルトの挿入後、前記簡易締付ナット収納ケース１０を螺合方向へ回転させると、挿入されたボルトのねじ部と螺合する付勢スプリングで付勢された少なくとも２個以上のナットセグメント１６を備える簡易締付ナット８とでボルト接続具１を構成している。【選択図】図４
2015094416.tif 000002
【特許請求の範囲】
【請求項１】
両端部より接続するボルトをそれぞれ挿入することができるボルト挿入孔が形成されるとともに、両端部寄りの部位に該ボルト挿入孔に挿入されたボルトと螺合する簡易締付ナットを回転不能に収納することができる簡易締付ナット収納部が形成された簡易締付ナット収納ケースと、この簡易締付ナット収納ケースの簡易締付ナット収納部にそれぞれ収納されたボルトの挿入後、前記簡易締付ナット収納ケースを螺合方向へ回転させると、挿入されたボルトのねじ部と螺合する付勢スプリングで付勢された少なくとも２個以上のナットセグメントを備える簡易締付ナットとからなることを特徴とするボルト接続具。
【請求項２】
簡易締付ナット収納ケースは２分割され、両端部の収納ケース内に収納される簡易締付ナットは同じナット、異なる径のナット孔のナット、異なるナット孔のナットおよび異なる径で、かつ異なるナット孔のナットのいずれかであることを特徴とする請求項１記載のボルト接続具。
【請求項３】
簡易締付ナット収納ケースはターンバックルとして使用することができる両端部より接続するボルトをそれぞれ挿入することができるボルト挿入孔が形成されフレームと、このフレームの両端部寄りの部位に形成された該ボルト挿入孔に挿入されたボルトと螺合する簡易締付ナットを回転不能に収納することができる簡易締付ナット収納部とで構成されていることを特徴とする請求項１記載のボルト接続具。
【請求項４】
簡易締付ナット収納ケースは両端部をカシメたり、外周部をカバー筒で覆うことができる円筒形状あるいは多角形状に形成されたボルト挿入孔を有する筒部材と、この筒部材の両端部寄りの部位に形成された該ボルト挿入孔に挿入されたボルトと螺合する簡易締付ナットを回転不能に収納することができる簡易締付ナット収納部とで構成されていることを特徴とする請求項１記載のボルト接続具。
【請求項５】
簡易締付ナット収納ケースの両端部の収納ケースは異なる外形に形成されていることを特徴とする請求項１ないし請求項３いずれかに記載のボルト接続具。
【発明の詳細な説明】
【技術分野】
【０００１】
本発明は木造住宅等でボルトを接続する場合に使用されるボルト接続具に関する。
【背景技術】
【０００２】
従来、木造住宅の木骨工法でボルトを接続する場合、両端部にボルトを螺合させることができるロングナットを用いて行なっている。
このため、単にボルトの接続だけにしか使用できないという欠点があるとともに、ボルトとロングナットの接続作業では、ボルトとロングナットの螺合寸法分だけロングナットあるいはボルトを回転させなければならず、その作業が大変で時間がかかるという欠点があった。
【先行技術文献】
【特許文献】
【０００３】
【特許文献１】特開平７−１１９２０６号公報
【発明の概要】
【発明が解決しようとする課題】
【０００４】
本発明は以上のような従来の欠点に鑑み、ボルトの接続作業が容易で、短時間に行なうことができるとともに、接続するボルトの寸法を伸縮調整したり、径寸法が異なっても接続することができるようにすることができるボルト接続具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は両端部より接続するボルトをそれぞれ挿入することができるボルト挿入孔が形成されるとともに、両端部寄りの部位に該ボルト挿入孔に挿入されたボルトと螺合する簡易締付ナットを回転不能に収納することができる簡易締付ナット収納部が形成された簡易締付ナット収納ケースと、この簡易締付ナット収納ケースの簡易締付ナット収納部にそれぞれ収納されたボルトの挿入後、前記簡易締付ナット収納ケースを螺合方向へ回転させると、挿入されたボルトのねじ部と螺合する付勢スプリングで付勢された少なくとも２個以上のナットセグメントを備える簡易締付ナットとでボルト接続具を構成している。
【発明の効果】
【０００７】
以上の説明から明らかなように、本発明にあっては次に列挙する効果が得られる。
（１）請求項１によって、両端部よりボルトを押し込み、簡易締付ナット収納ケースを回転させることにより、両端部の収納ケース内に回転不能に収納された簡易締付ナットの少なくとも２個以上のナットセグメントとボルトのねじ部とを螺合させることができる。
したがって、簡単な操作でボルトを接続することができる。
（２）前記（１）によって、簡易締付ナット収納ケースの両端部寄りの収納ケース内に異なるナット孔の簡易締付ナット、すなわち右ねじナットと左ねじナットを収納しておくと、簡易締付ナット収納ケースの回転方向によって接続するボルトの長さをターンバックルのように伸縮させて接続することができる。
（３）前記（１）によって、簡易締付ナット収納ケースの両端部寄りの収納ケース体に異なる径のナット孔の簡易締付ナット、すなわち径寸法の異なるナットを収納しておくことにより、接続するボルトを上部側が細いボルトにして接続することができる。
（４）請求項２、３も前記（１）〜（３）と同様な効果が得られる。
（５）請求項４も前記（１）〜（３）と同様な効果が得られるとともに、筒部材の両端部をカシメたり、外周部をカバー筒で覆うことで簡易締付ナット収納ケース内に収納された簡易締付ナットが、該簡易締付ナット収納ケースより脱落するのを確実に阻止でき、接続されるボルトと一体化することができ、接続されたボルトの強度の低下や、接続不良が生じたりするのを確実に防止することができる。
（６）請求項５も前記（１）〜（３）と同様な効果が得られるとともに、簡易締付ナット収納ケースの両端部の収納ケースの外形の形状によって、収納ケース内にどんな種類の簡易締付ナットが収納されているかを、容易に知らせることができる。
【図面の簡単な説明】
【０００８】
【図１】本発明を実施するための第１の形態の使用状態の説明図。
【図２】本発明を実施するための第１の形態の正面図。
【図３】本発明を実施するための第１の形態の平面図。
【図４】図３の４−４線に沿う断面図。
【図５】本発明を実施するための第１の形態の分解説明図。
【図６】簡易締付ナットの断面図。
【図７】簡易締付ナットの分解説明図。
【図８】本発明を実施するための第２の形態の使用状態の説明図。
【図９】本発明を実施するための第２の形態の正面図。
【図１０】本発明を実施するための第２の形態の平面図。
【図１１】図１０の１１−１１線に沿う断面図。
【図１２】本発明を実施するための第３の形態の使用状態の説明図。
【図１３】本発明を実施するための第３の形態の正面図。
【図１４】本発明を実施するための第３の形態の平面図。
【図１５】本発明を実施するための第４の形態の使用状態の説明図。
【図１６】本発明を実施するための第４の形態の正面図。
【図１７】本発明を実施するための第４の形態の平面図。
【図１８】本発明を実施するための第５の形態の使用状態の説明図。
【図１９】本発明を実施するための第５の形態の正面図。
【図２０】本発明を実施するための第５の形態の平面図。
【図２１】本発明を実施するための第６の形態の使用状態の説明図。
【図２２】本発明を実施するための第６の形態の正面図。
【図２３】本発明を実施するための第6の形態の平面図。
【図２４】本発明を実施するための第７の形態の使用状態の説明図。
【図２５】本発明を実施するための第７の形態の正面図。
【図２６】本発明を実施するための第７の形態の平面図。
【図２７】図２６の２７−２７線に沿う断面図。
【図２８】本発明を実施するための第８の形態の使用状態の説明図。
【図２９】本発明を実施するための第8の形態の正面図。
【図３０】本発明を実施するための第8の形態の平面図。
【図３１】図３０の３１−３１線に沿う断面図。
【発明を実施するための形態】
【０００９】
以下、図面に示す本発明を実施するための形態により、本発明を詳細に説明する。
【００１０】
図１ないし図７に示す本発明を実施するための第１の形態において、１は木造住宅の基礎２に埋設固定されたアンカーボルト３と、最上階の桁４とを固定する複数本のボルト５、５、５を接続する場合に使用される本発明のボルト接続具で、このボルト接続具１は円筒形状あるいは多角形状、本発明の実施の形態では六角形状に形成されたボルト挿入孔６ａを有する筒部材６、この筒部材６の両端部寄りに小径部７、７を介して両端部より同じボルト５、５あるいは右ボルト５、左ボルト５Ａが挿入できるように形成された簡易締付ナット８、８あるいはターンバックル機能を持った簡易締付ナット８、８Ａをそれぞれ回転不能に収納することができる外周部が多角形状あるいは円筒形状の簡易締付ナット収納部９、９とからなる簡易締付ナット収納ケース１０と、この簡易締付ナット収納ケース１０の両端部の簡易締付ナット収納部９、９内に回動不能にそれぞれ収納された簡易締付ナット８、８あるいは簡易締付ナット８、８Ａと、前記簡易締付ナット収納ケース１０の簡易締付ナット収納部９、９内に前記簡易締付ナット８、８あるいは簡易締付ナット８、８Ａを収納した後、該簡易締付ナット収納部９、９より簡易締付ナット８、８あるいは簡易締付ナット８、８Ａが脱落するのを阻止する、該簡易締付ナット収納部９、９の先端部をカシメて行なう阻止手段１１とで構成されている。
【００１１】
前記簡易締付ナット８、８あるいは簡易締付ナット８、８Ａは、内径が順次小径寸法となる傾斜孔１２が形成された内筒部材１３と、この内筒部材１３の内壁面１３ａの軸心方向に形成された少なくとも２個以上、本発明の実施の形態では３個のガイド片１４、１４、１４と、このガイド片１４、１４、１４間にそれぞれ軸心方向にスライド移動可能に取付けられた内壁面にボルト５と螺合するねじ山１５を有するナットセグメント１６、１６、１６と、前記内筒部材１３の外周部を覆うように、該内筒部材１３を押し込むことで係止する取付手段１７で取付けられ、後端部にボルト挿入孔１８を有する多角形状の外筒部材１９と、この外筒部材１９と前記内筒部材１３との間で、前記ナットセグメント１６、１６、１６を常時押し圧するように取付けられた板スプリング２０、２０、２０を有する座金２１とで構成されている。
【００１２】
上記構成のボルト接続具１でターンバックル機能を持たせて、複数本のボルト５、５を接続する場合、両端部に右ねじ用と左ねじ用の簡易締付ナット８、８Ａを簡易締付ナット収納部９、９に収納したものを用いる。
【００１３】
なお、簡易締付ナット８Ａにはナットセグメント１６、１６、１６に逆方向のねじ山１５Ａを形成したものが用いられている。
【００１４】
木造住宅の基礎２に埋設固定されたアンカーボルト３と、例えば３階の最上階の桁４とを複数本のボルト５、５Ａ、５を接続して固定する場合、まず基礎２の上にアンカーボルト３を貫通させた土台２２を、簡易締付ナット８をアンカーボルト３に押し込み、締付方向に簡易締付ナット８を回転させることにより、アンカーボルト３のねじ部３ａと簡易締付ナット８のナットセグメント１６、１６、１６のねじ山１５、１５、１５とが螺合して、土台２２を固定する。
【００１５】
次に前記アンカーボルト３の上部から、上部の天井用の桁４Ａ、床用の桁４Ｂを通過して上部に位置する第１のボルト５を接続する。
【００１６】
この時、アンカーボルト３が右ねじの場合、ボルト接続具１の右ねじ用の簡易締付ナット８側を下部に位置させて、アンカーボルト３の頭部を所定量挿入する。
【００１７】
次に左ねじ用の簡易締付ナット８Ａ側に左ねじの第１のボルト５の下端部を所定量挿入し、ボルト接続具１を回転させて、アンカーボルト３、ボルト接続具１、第１のボルト５のねじ部とねじ山を螺合させる。
この時、ボルト接続具１の回転方向によって、アンカーボルト３と第１のボルト５とを伸長させたり、収縮する長さで螺合する。
【００１８】
また、ボルト接続具１を第１のボルト５に螺合させる前に、第１のボルト５に天井用の桁４Ａに固定させるために挿入しておいた簡易締付ナット８Ａを天井用の桁４Ａの下部を固定できる位置まで移動させ、その場で回転させて、第１のボルト５のねじ部５ａに簡易締付ナット８Ａのねじ山１５Ａを螺合させる。
【００１９】
さらに、第１のボルト５の上部より簡易締付ナット ８Ａを押し込み、床用の桁４Ｂまで位置させ、該部で回転させることにより、第１のボルト５のねじ部５ａと簡易締付ナット８Ａのねじ山１５Ａが螺合して、床用の桁４Ｂと第１のボルト５を固定する。
【００２０】
次に、第１のボルト５の上端部にボルト接続具１の下部が左ねじ用の簡易締付ナット８Ａ側にして所定量挿入する。
【００２１】
その後、２階部分の天井用の桁４Ｃ、３階部分の床用の桁４Ｄを通過して上部に位置する右ねじ用の第２のボルト５Ａの下端部をボルト接続具１の上部に前記右ねじ用の簡易締付ナット８に所定量挿入し、ボルト接続具１を回転させて、寸法調整できるように第１のボルト５、ボルト接続具１、第２のボルト５Ａのねじ部とねじ山を螺合させる。
【００２２】
この時も、前述と同様に２階部分の天井用の桁４Ｃおよび３階部分の床用の桁４Ｄに第２のボルト５Ａを簡易締付ナット８、8で固定する。
【００２３】
次に第２のボルト５Ａの上端部にボルト接続具１の下部が右ねじ用の簡易締付ナット８側にして所定量挿入する。
その後、３階部分の天井用の桁４を通過して上部に位置する左ねじ用の第３のボルト５の下端部を、上部に位置する左ねじ用の簡易締付ナット８Ａに所定量挿入し、ボルト接続具１を回転させて、寸法調整できるように第２のボルト５Ａ、ボルト接続具１、第３のボルト５のねじ部とねじ山を螺合させる。
【００２４】
この時も、前述と同様に３階部分の天井用の桁４の上・下部に第３のボルト５を簡易締付ナット８Ａ、８Ａで固定する。
なお、２３、２３、２３、２３、２３、２３は前記第１のボルト５、第１のボルト５Ａ、第３のボルト５の両側部の基礎２と天井用の桁４Ａ、２階部分の床用の桁４Ｂと２階部分の天井用の桁４Ｃ、３階部分の床用の桁４Ｄと３階部分の天井用の桁４との間にそれぞれ設けられた木材を用いた柱である。
【００２５】
簡易締付ナット収納ケース１０の両端部の簡易締付ナット収納部９、９内に、右ねじ用あるいは左ねじ用の簡易締付ナット８、８を収納すると、右ねじボルト５Ａの接続あるいは左ねじボルト５の接続に使用することができる。
【００２６】
なお、土台２２、１階部分の天井用桁４Ａ、２階部分の床用桁４Ｂ、２階部分の天井用桁４Ｃ、３階部分の床用桁４Ｄおよび３階天井部分の桁４を固定する簡易締付ナットには内筒部材１３に外筒部材１９より外方に突出してビス挿入孔が形成されたフランジを設けたものを用いてもよい。    
【００２７】
[発明を実施するための異なる形態]
次に、図８ないし図３１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２８】
図８ないし図１１に示す本発明を実施するための第２の形態において、前記本発明を実施するための第１の形態と主に異なる点は、筒部材６と、この筒部材６の上下部に一体形成した簡易締付ナット収納部９、９を軸心方向に２分割した簡易締付ナット収納ケース１０Ａを用いるとともに、該簡易締付ナット収納ケース１０Ａの簡易締付ナット収納部９、９に簡易締付ナット８、８を収納した後、簡易締付ナット収納部９、９の外周部を覆うカバー筒２４、２４および、このカバー筒２４、２４が簡易締付ナット収納部９、９より外れるのを防止するカシメ２５、２５を行なった阻止手段１１Ａを用いた点で、このように構成したボルト接続具１Ａにしても、前記本発明を実施するための第１の形態と同様な作用効果が得られる。
【００２９】
図１２ないし図１４に示す本発明を実施するための第３の形態において、前記本発明を実施するための第２の形態と主に異なる点は、簡易締付ナット収納ケース１０Ａの簡易締付ナット収納部９、９に同じ右ねじの簡易締付ナット８、８あるいは同じ左ねじの簡易締付ナット８Ａ、８Ａを収納した点で、このように構成したボルト接続具１Ｂにしても、ターンバックル機能がないが、同じ右ねじボルト５、５あるいは左ねじのボルト５Ａ、５Ａの接続に使用することができる。
【００３０】
図１５ないし図１７に示す本発明を実施するための第４の形態において、前記本発明を実施するための第２の形態と主に異なる点は、ナットの径が異なる簡易締付ナット８、８Ｂを収納することができる、大きさの異なる簡易締付ナット収納部９、９Ａを形成した簡易締付ナット収納ケース１０Ｂを用いた点で、このように構成したボルト接続具１Ｃにしても、径の異なるボルト５、５Ｃの接続、例えば下部側のボルト５の径が大きく、上部側のボルト５Ｃの径が小さい等の接続ができる。
【００３１】
図１８ないし図２０に示す本発明を実施するための第５の形態において、前記本発明を実施するための第４の形態と主に異なる点は、大きさの異なる簡易締付ナット収納部９、９Ａに同じ右ねじで、大きさの異なる簡易締付ナット８、８Ｂあるいは同じ左ねじで、大きさの異なる簡易締付ナット８、８Ｂを収納した点で、このように構成したボルト接続具１Ｄにしても、ターンバックル機能がないが、同じ右ねじあるいは左ねじの大きさの異なる（径の異なる）ボルト５、５Ｃの接続に使用することができる。
【００３２】
図２１ないし図２３に示す本発明を実施するための第６の形態において、前記本発明を実施するための第１の形態と主に異なる点は、両端部の簡易締付ナット収納部９、９に収納される右ねじあるいは左ねじの簡易締付ナット８、８ＡであるかがわかるようにＲ、Ｌの文字を形成あるいは印刷した点で、このように構成したボルト接続具１Ｅにしても、前記本発明を実施するための第１の形態と同様な作用効果が得られる。
なお、Ｒ、Ｌの文字は阻止手段１１Ａのカバー筒２４、２４に設けても、同様な作用効果が得られる。
【００３３】
図２４ないし図２７に示す本発明を実施するための第７の形態において、前記本発明を実施するための第１の形態と主に異なる点は、簡易締付ナット収納ケース１０の一端部の簡易締付ナット収納部9と、この一端部のケ簡易締付ナット収納部９よりも外側に配置したボルトの所定位置に固定することができる固定具２８とに回転力を与えるように取付けられたコイルスプリング２６と、このコイルスプリング２６を使用するまで作用しないように固定する固定紐２７とを接続した点で、このように構成したボルト接続具１Ｆにしても、前記本発明を実施するための第１の形態と同様な作用効果が得られるとともに、簡易締付ナット収納ケース１０と簡易締付ナット８Ａは固定具２８側に引っ張られ、回転力が加わり、常にナット間の遊びをなくすことができる。
【００３４】
なお、前記固定具２８はボルトの所定位置まで挿入することができる簡易締付ナット８Ｃ、普通のナット、圧着によってボルトの所定位置に固定することができる筒部材あるいはコイルスプリング２６の一端部にボルトと螺合する径のボルト螺合コイル部を形成し、該ボルト螺合コイル部の外周部を筒部材で圧着固定するものであっても良い。
【００３５】
図２８ないし図３１に示す本発明を実施するための第８の形態において、前記本発明を実施するための第１の形態と主に異なる点は、タンバックルとして使用することができる両端部より接続するボルト５，５をそれぞれ挿入することができるボルト挿入孔６ａ、６ａが形成され長方形状、楕円形状などの枠上のフレーム２９と、このフレーム２９の両端部寄りの部位に形成された該ボルト挿入孔６ａ、６ａに挿入されたボルト５、５と螺合する簡易締付ナット８、８Ａを回転不能に収納することができる簡易締付ナット収納部９Ｂ、９Ｂとからなる簡易締付ナット収納ケース１０Ｃを用いた点で、このような簡易締付ナット収納ケース１０Ｃを用いて構成したボルト接続具１Ｇにしても、前記本発明を実施するための第１の形態と同様な作用効果が得られる。
【産業上の利用可能性】
【００３６】
本発明は木造住宅等でボルトを接続する場合に使用されるボルト接続具を製造する産業で利用される。
【符号の説明】
【００３７】
１、１Ａ、１Ｂ、１Ｃ、１Ｄ、１Ｅ、１Ｆ、１Ｇ：ボルト接続具、
２：基礎、        ３：アンカーボルト、
４：桁、        ５：ボルト、  
６：筒部材、        ７：小径部、
８：簡易締付ナット、    ９、９Ａ、９Ｂ：簡易締付ナット収納部、
１０、１０Ａ、１０Ｂ、１０Ｃ：簡易締付ナット収納ケース、
１１、１１Ａ：阻止手段、    １２：傾斜孔、
１３：内筒部材、      １４：ガイド片、
１５：ねじ山、      １６：ナットセグメント、
１７：取付手段、      １８：ボルト挿入孔、
１９：外筒部材、  、    ２０：板スプリング、
２１：座金、        ２２：土台、
２３：柱、        ２４：カバー筒、
２５：カシメ                  ２６：コイルスプリング、
２７：固定紐、                ２８：固定具、
２９：フレーム。
【図１】
2015094416.tif 000003
【図２】
2015094416.tif 000004
【図３】
2015094416.tif 000005
【図４】
2015094416.tif 000006
【図５】
2015094416.tif 000007
【図６】
2015094416.tif 000008
【図７】
2015094416.tif 000009
【図８】
2015094416.tif 000010
【図９】
2015094416.tif 000011
【図１０】
2015094416.tif 000012
【図１１】
2015094416.tif 000013
【図１２】
2015094416.tif 000014
【図１３】
2015094416.tif 000015
【図１４】
2015094416.tif 000016
【図１５】
2015094416.tif 000017
【図１６】
2015094416.tif 000018
【図１７】
2015094416.tif 000019
【図１８】
2015094416.tif 000020
【図１９】
2015094416.tif 000021
【図２０】
2015094416.tif 000022
【図２１】
2015094416.tif 000023
【図２２】
2015094416.tif 000024
【図２３】
2015094416.tif 000025
【図２４】
2015094416.tif 000026
【図２５】
2015094416.tif 000027
【図２６】
2015094416.tif 000028
【図２７】
2015094416.tif 000029
【図２８】
2015094416.tif 000030
【図２９】
2015094416.tif 000031
【図３０】
2015094416.tif 000032
【図３１】
2015094416.tif 000033